(57)【要約】【課題】    最低限のメモリ使用で、取引時間を短縮することができる自動取扱装置を提供する。【解決手段】  上位装置１から受信したデータを用紙に印字して取引の明細票を生成する明細票印字機構２６，２７，２９と、前記用紙または生成された明細票を明細票排出口まで搬送する搬送機構２３，２４，２５と、上位装置から受信した印字データを格納する第１受信バッファ２９と、第１受信バッファに格納した印字データを退避させる第２受信バッファ２と、装置全体を制御する本体制御部２を備え、本体制御部２は、前記印字機構の起動時に、第１受信バッファに格納した印字データを第２受信バッファに退避させてから上位装置に印字終了報告を行うと共に印字処理を実行し、次の印字データを上位装置から受信して第１受信バッファに格納する。【選択図】  図７
2006154950.tif 000002
【特許請求の範囲】
【請求項１】
上位装置から受信したデータを用紙に印字して取引の明細票を生成する明細票印字機構と、
前記用紙または生成された明細票を明細票排出口まで搬送する搬送機構と、
上位装置から受信した印字データを格納する第１受信バッファと、
第１受信バッファに格納した印字データを退避させる第２受信バッファと、
装置全体を制御する本体制御部を備え、
本体制御部は、前記印字機構の起動時に、第１受信バッファに格納した印字データを第２受信バッファに退避させてから上位装置に印字終了報告を行うと共に印字処理を実行し、次の印字データを上位装置から受信して第１受信バッファに格納することを特徴とする自動取引装置。
【請求項２】
請求項１記載の自動取引装置において、
明細票印字機構は第２受信バッファに格納した印字データを参照して印字処理を実行することを特徴とする自動取引装置。
【請求項３】
請求項２記載の自動取引装置において、
第１受信バッファに格納した印字データを順次退避させる第３以降の受信バッファを備えたことを特徴とする自動取引装置。
【請求項４】
請求項１記載の自動取引装置において、
前記搬送機構は、排出される明細票の後端を検出する排出センサを備え、
本体制御部は、排出センサにより明細票の後端を検出したとき、搬送停止を行う前に排出完了を上位装置に報告することを特徴とする自動取引装置。
【請求項５】
請求項４記載の自動取引装置において、
搬送停止は、抜き取りセンサが明細票の先端を検出してから、所定量、明細票を搬送した位置で搬送モータを停止して行うことを特徴とする自動取引装置。
【発明の詳細な説明】
【技術分野】
【０００１】
本発明は、自動取引装置に係り、特にその取引時間を短縮することのできる自動取引装置に関する。
【背景技術】
【０００２】
現金自動取扱装置等の自動取引装置（ＡＴＭ）で取扱われる明細票発行機構の一般的な明細票ロールのカット技術としては、特許文献１、特許文献２が知られている。また、取引時間を短縮する方法としては、単純に搬送を高速化する方法や、特許文献３に示すようなカード、明細票、現金を同時に排出制御する方法が知られている。
【０００３】
図１３は、印字機構および搬送機構を備えた明細票発行機構における明細票発行方法の概略を説明する図である。図１３において、（１）は明細票発行機構の印字起動待ち（客待ち）状態を説明する図である。図において、１７は明細票の排出口、１２は明細票の排出後の抜取り検知、および排出検知センサ１１との組合せにより明細票の移動方向を検知するセンサである。また、１１は発行する明細票の搬送ジャム検知、および抜取りセンサ１２との組合せで明細票の移動方向を検知するためのセンサでもある。２１は印字搬送した明細票をカットするカッタ、２０は明細票に印字する印字ヘッドである。
【０００４】
１８は第１搬送路センサであり、明細票ロール紙のロード時の先端検知と用紙切れを検知する。１５は分離部であり、明細票ロール紙１４と搬送ベルトにより構成した搬送路１６の境界を表す。１３はホッパ部であり、ここに明細票ロール紙を置く。１９は印字位置決めセンサであり１行目印字位置を検知する。１０は明細票ロール紙からロードした明細票（カット前）である。
【０００５】
図１３（１）の印字起動待ち（客待ち）状態において、利用者が何らかの取引操作を行うと、自動取引装置の本体制御部より印字起動がなされる。印字起動されると印字内容を解析し、図１３の（２）および（３）に示すように印字（および明細票ロール紙の搬送）を行った後、本体制御部に終了報告をする。
【０００６】
印字起動は数回に分けて起動され、通常は取引時間短縮のため１取引中に２回の起動が一般的である。印字終了後はカット起動される。すなわち、図１３の（４）および（５）に示すようにロール紙をカット位置まで搬送し、図１３の（６）に示すようにカッタ２１でカットした後に終了報告する。取引時間短縮のためにカットの終了報告後に、図１３の（７）および（８）に示すように排出開始位置まで搬送する。
【０００７】
もし、異常が発生した場合は、図１３の（８）に示す状態で排出起動を受信しても排出は行わず、排出起動の終了報告時に異常を報告する。排出開始位置までの搬送が正常であれば排出起動を受信すると、図１３の（９）および（１０）のように排出搬送終了位置まで搬送し、利用者の抜取りを待つ。
【０００８】
図１４は、図１３に示す明細票発行機構における明細票発行時の自動取引装置本体制御部からの起動受信及び終了報告送信の処理を説明する図である。
【０００９】
取引の開始により、自動取引装置本体制御部は明細票発行機構に印字起動（起動１）を発する。明細票発行機構は受信バッファに印字起動の内容（印字データ）を受信し、受信した内容を解析し、印字および搬送を行い、第１回目の印字起動の終了報告（終了報告１）を行う。終了報告を受けた自動取引装置本体制御部は２回目の印字起動（起動２）を明細票発行機構に送る。明細票発行機構は受信バッファに印字起動の内容（印字データ）を受信し、受信した内容を解析し、印字および搬送し、第２回目の印字起動の終了報告（終了報告２）を行う。終了報告を受けた自動取引装置本体制御部は、カット起動（起動３）を明細票発行機構に送信する。明細票発行機構はカット位置まで明細票を搬送し、カットする。カットの後で終了報告（終了報告３）を行い、更に明細票を排出開始位置まで搬送する。自動取引装置本体制御部は終了報告により排出起動（起動４）を明細票発行機構に送信する。明細票発行機構は明細票を排出搬送した後、終了報告（終了報告４）行う。
【００１０】
図１５は、図１４の印字起動時における印字データの処理を説明する図である。自動取引装置本体制御部は明細票発行機構に印字起動（ステップ１）を発する。明細票発行機構は受信バッファに印字起動の内容（印字文字コードデータ）を受信（ステップ２）し、受信した印字内容を解析（ステップ３）し、印字バッファに印字ドットデータを編集（ステップ４）する。印字バッファに印字ドットデータが編集（ステップ４）されると、明細票に印字出力（印字搬送）（ステップ５）する。印字出力（印字搬送）が終了すると、自動取引装置本体制御部に終了報告を行う。終了報告を受けた自動取引装置本体制御部は次の印字起動を明細票発行機構に送信する。印字データの流れは、次回以降も同様に処理される。
【特許文献１】特開平６−１１９５２９号公報
【特許文献１】特開平１０−１０５７８６号公報
【特許文献１】特開２０００−２０７６１１号公報
【発明の開示】
【発明が解決しようとする課題】
【００１１】
前述のように、搬送の高速化あるいは終了報告と処理の並行処理等を行うことにおり取引時間をある程度短縮することができる。しかしながら、印字の終了報告と印字処理の並行処理を行う場合、終了報告後に、直ちに次の処理起動を受信することになる。このため、受信バッファに空きがない場合には、予め空き領域を確保してから終了報告をしなければならない。この場合は、結果としてメモリの使用量が増加することにる。
【００１２】
また、排出搬送の終了報告と排出搬送との並行処理を行う場合には、この処理中に障害の有無（正常・異常）を把握して処理することができない。また、処理後に障害有を把握した場合には、次処理が必要となり、結果として取引時間が増加することになる。
【００１３】
本発明は、これらの問題点に鑑みてなされたもので、最低限のメモリ使用量で、取引時間を短縮することができる自動取扱装置を提供するものである。
【課題を解決するための手段】
【００１４】
本発明は上記課題を解決するため、次のような手段を採用した。
【００１５】
上位装置から受信したデータを用紙に印字して取引の明細票を生成する明細票印字機構と、前記用紙または生成された明細票を明細票排出口まで搬送する搬送機構と、上位装置から受信した印字データを格納する第１受信バッファと、第１受信バッファに格納した印字データを退避させる第２受信バッファと、装置全体を制御する本体制御部を備え、本体制御部は、前記印字機構の起動時に、第１受信バッファに格納した印字データを第２受信バッファに退避させてから上位装置に印字終了報告を行うと共に印字処理を実行し、次の印字データを上位装置から受信して第１受信バッファに格納する。
【発明の効果】
【００１６】
本発明は、以上の構成を備えるため、最低限のメモリ使用で、取引時間を短縮することができる自動取扱装置を提供することができる。
【発明を実施するための最良の形態】
【００１７】
以下、最良の実施形態を添付図面を参照しながら説明する。図１は、本発明の実施形態に係る自動取引装置を説明する図である。カード取り扱い機構４は、利用者が挿入したカードを吸入し、カードに記録された利用者情報を読み出す。さらに読み出した情報を本体制御部２に報告すると共に、本体制御部２から指示されたデータをカードに書き込み、その後カードを排出する。
【００１８】
操作部３は、顧客が入力した取引種類や取引金額の情報を本体制御部２に送信する。現金取り扱い機構６は、本体制御部２の指示により現金を出金したり、利用者が預け入れた現金を計数して本体制御部２に報告する。明細票発行機構５は、本体制御部２の指示により取引データを明細票に印字して利用者側に排出する。通帳印字機構７は、本体制御部２の指示により取引データを通帳に印字して利用者側に排出する。
【００１９】
図２は、自動取引装置の制御ブロック図である。回線制御部８は、利用者が入力した暗証番号、取引金額、口座番号あるいは振込み先情報等の取引情報をセンタ（上位装置）１に送信し、また、センタ１からの処理結果を受信し、受信した処理結果を本体制御部２に送信する。センタ１は、回線制御部８から受信した前記取引情報を処理し、処理結果を回線制御部８に送信する。本体制御部２、操作部３、カード取り扱い機構４、明細票発行機構５、現金取り扱い機構６、および通帳印字機構７については図１で説明した通りである。
【００２０】
図３，４，５は、自動取引装置における出金取引の処理フロ−図である。図３において、まず、自動取引装置は利用者の取引き開始操作（ステップ２０１）、あるいは係員の電源オフ操作（ステップ２０２）を待機している。利用者が、操作部３を操作して、例えば出金の取り引き選択(ステップ２０４)すると出金取引が開始され、係員が電源オフ（ステップ２０２）処理を行うと電源をオフ（ステップ２０３）して、処理を終了する。前記出金取引が開始された場合、カ−ド取扱機構４は挿入されたカードを吸入(ステップ２０５)する。
【００２１】
前記カード吸入の結果が異常発生（ステップ２０６）である場合は、カード搬送路異常をオン（ステップ２０７）に設定して、搬送を異常終了する。カード吸入結果が異常無し（ステップ２０６）である場合は、明細票に取引日付および時刻を印字（ステップ２０８）する。
【００２２】
利用者が操作部３を操作して暗証番号を入力し(ステップ２０９)、出金金額を入力(ステップ２１０)すると、自動取引装置は利用者デ−タ確認のためにセンタと交信(ステップ２１１)する。利用者データが確認できた場合は、明細票発行機構５により取引デ−タを印字(ステップ２１２)する。取引デ−タ印字の結果が異常発生（ステップ２１３）である場合は、明細票搬送路異常をオン（ステップ２１４）に設定し、搬送を異常終了する。
【００２３】
取引デ−タ印字結果が異常無し（ステップ２１３）である場合は、明細票カット(ステップ２１６)する。明細票カットの結果が異常発生（ステップ２１７）である場合は、明細票搬送路異常をオン（ステップ２１４）に設定し、搬送を異常終了する。明細票カット結果が異常無し（ステップ２１７）である場合は、明細票を排出(ステップ２１８)する。
【００２４】
明細票排出の結果が異常発生（ステップ２１９）である場合は、明細票搬送路異常をオン（ステップ２１４）に設定し、搬送を異常終了する。明細票排出結果が異常無し（ステップ２１９）である場合は、利用者により明細票が抜き取られたか否かを監視(ステップ２２０)し、抜き取られた場合はカ−ド取り扱い機構４によりカ−ド排出(ステップ２２１)を行う。
【００２５】
カ−ド排出の結果が異常発生（ステップ２２２）である場合は、カ−ド搬送路異常をオン（ステップ２２３）に設定し、搬送を異常終了する。カ−ド排出結果が異常無し（ステップ２２２）である場合は、利用者によりカ−ドが抜き取られたか否かを監視(ステップ２２５)し、カ−ドが抜き取られた場合は、現金取扱機構６により現金を放出(ステップ２２６)する。現金放出の結果が異常発生（ステップ２２７）の場合は、現金搬送路異常をオン（ステップ２２８）とし、搬送異常終了する。現金放出結果が異常無し（ステップ２２７）の場合は、利用者により現金が受け取られたか否かを監視(ステップ２３０)し、現金が受け取られた場合は取引き終了とし、次の取引きを待つ。
【００２６】
図６は、明細票発行機構５を説明する図である。図６を用いて電源オン、明細票ローディング動作、印字動作、カット動作及び排出動作について説明する。まず、係員が電源を投入すると復旧動作により搬送ベルト１６を回転させる。このとき、第１搬送路センサ１８及び第２搬送路センサ１１で明細票１０を検知しない場合は、異常となる。異常の原因は搬送路に明細票（ロール紙）が存在しないためであり、係員が、明細票ロール紙１４をホッパ部１３にセットするとローディング動作を開始する。
【００２７】
図示しない搬送モータにより明細票ロール紙１４を回転し、更に搬送ベルト１６を駆動すると、明細票ロール紙１４の先端は分離部１５を通過して搬送される。搬送モータは、第１搬送路センサ１８が明細票ロール紙１４の先端を検知し、印字位置決めセンサ１９が明細票１０のタイミングマークを検知した後、更に所定量搬送して停止し、取引き待ち状態に入る。
【００２８】
次に、利用者が取引操作を開始すると、取引データを印字するため印字動作が開始される。すなわち、搬送モータを起動して明細票１０を排出口１７側に搬送する。また、印字ヘッド２０が明細票１０に取引データ等を印字する。また、明細票のカット動作を開始すると、搬送モータが起動し明細票１０を排出口１７側に搬送する。搬送モータは、印字位置決めセンサ１９がタイミングマークを検知した後、所定量搬送して停止する。
【００２９】
この際、第２搬送路センサ１１が明細票１０を検知しなければ用紙ジャムと見なしエラー処理を行う。その後、カッタ２０が動作し明細票１０を例えばミシン目位置でカットし、さらに排出準備位置へ搬送するため搬送モータを起動する。明細票１０が抜き取りセンサ１２で検知された場合は、その後、所定量搬送して停止する。次に、搬送モータを起動し明細票１０を排出口１７側に搬送する。排出センサ１１が明細票１０の後端を検知した場合はその後、所定量搬送して停止し、利用者が明細票を抜き取るのを待つ。
【００３０】
図７は、図２に示す明細票発行機構５を説明する図である。回線制御部２８は、図２に示す本体制御部２から、ローディング、印字、カットあるいは排出などの指示情報を受信して主制御部２２に送信し、また、処理結果を主制御部２２から受信し、受信した処理結果を本体制御部２に送信する。センサ制御部２３は、搬送路１６上の明細票１０及び明細票１０のタイミングマークの通過や残留及びアクチェータなどの定位置を監視している複数のセンサのモニタ値を読み取り、主制御部２２に送信する。搬送モータ制御部２４は、主制御部２２の指示により明細票１０を搬送する搬送モータの駆動をＯＮ／ＯＦＦするものである。カッタ制御部２５は、主制御部２２の指示により明細票１０をカットするカッタ２１を動作させるものである。これらの制御部２３，２４，２５により搬送機構が構成される。
【００３１】
印字ヘッド制御部２６は、主制御部２２の指示により取引データ（印字バッファ２９の内容）を明細票１０に印字するものである。印字編集制御部２７は、主制御部２２の指示により取引データを印字バッファ２９に編集するものである。印字ヘッド制御部２６、印字編集制御部２７、および印字バッファ２９により印字機構が構成される。
【００３２】
図８は、図３，４，５、６で説明した明細票発行時における自動取引装置本体制御部からの起動受信及び終了報告送信の処理を説明する図である。
【００３３】
まず、取引の開始により、本体制御部２から明細票発行機構に印字起動（起動１）が発せられる。明細票発行機構は回線制御部２８を介して第１受信バッファに印字起動の内容（印字データ）を受信し格納する。回線制御部２８で受信が終了すると主制御部２２で印字を起動する。この際、まず第１受信バッファの内容を第２受信バッファに格納する。第１受信バッファの内容を第２受信バッファに格納することで、第１受信バッファの内容は不要となるので、印字起動の終了報告（終了報告１）をすると共に印字処理を行う。印字処理中は第２受信バッファの内容を参照して処理する。
【００３４】
本体制御部２は、終了報告（終了報告１）により２回目の印字起動を明細票発行機構に送信する。明細票印字機構は回線制御部２８を介して２回目の印字起動（起動２）を受信し主制御部２２に送信する。主制御部２２がまだ印字処理中である場合には、印字処理が終了するまで待つ。もし、印字処理が異常である場合は、２回目の印字起動の終了報告（終了報告２）において印字異常を報告する。印字処理が正常である場合は２回目の印字を起動する。１回目の印字起動と同様に第１受信バッファの内容を第２受信バッファに格納する。第１受信バッファの内容を第２受信バッファに格納することで、第１受信バッファの内容は不要となるので、印字起動の終了報告（終了報告２）をすると共に印字処理を行う。印字処理中は第２受信バッファの内容を参照して処理する。
【００３５】
本体制御部２は、終了報告（終了報告２）によりカット起動を明細票発行機構に送信する。明細票印字機構は回線制御部２８でカット起動（起動３）を受信し主制御部２２に送信する。主制御部２２がまだ印字処理中である場合は、印字処理が終了するまで待つ。もし印字処理が異常場合は、カット起動の終了報告（終了報告３）で印字異常を報告する。  印字処理が正常である場合はカット位置迄搬送した後にカットを行う。カットの後、カット起動の終了報告（終了報告３）を行って、排出開始位置まで搬送する。本体制御部２は、終了報告（終了報告３）により排出起動を明細票発行機構に送信する。明細票印字機構は回線制御部２８を介して排出起動（起動４）を受信し、主制御部２２に送信する。主制御部２２がまだカット処理中（排出開始位置まで搬送中）である場合は、カット処理（排出開始位置まで搬送）が終了するまで待つ。もしカット処理（排出開始位置まで搬送）が異常である場合は、排出起動の終了報告（終了報告４）においてカット異常（排出開始位置までの搬送異常）を報告する。カット処理（排出開始位置まで搬送）が正常である場合は排出を起動する。主制御部２２による排出起動により排出搬送し、排出が確定できたら排出起動の終了報告（終了報告４）において排出正常を報告するとともに、所定量搬送した後、搬送を停止する。もし排出が確定できない場合は排出起動の終了報告（終了報告４）において排出異常を報告する。
【００３６】
図９は、図８で説明した印字起動における印字データの処理例１を説明する図である。自動取引装置本体制御部２から明細票発行機構に印字起動（ステップ１）が発せられる。明細票発行機構は回線制御部２８を介して第１受信バッファに印字起動の内容（印字データ）を受信し、格納（ステップ２）する。回線制御部２８による受信が終了すると、主制御部２２で印字を起動する。この場合、まず、第１受信バッファの内容を第２受信バッファに格納（ステップ３）する。第１受信バッファの内容を第２受信バッファに格納（ステップ３）することで、第１受信バッファの内容が不要となるので、印字起動の終了報告（ステップ４−１）をすると共に印字編集（ステップ４−２）を行う。印字編集（ステップ４−２）は第２受信バッファの内容を参照して処理する。
【００３７】
本体制御部２は、終了報告（ステップ４−１）により２回目の印字起動を明細票発行機構に送信する。印字編集（ステップ４−２）は印字内容を解析し印字バッファに印字ドットデータを編集（ステップ５）する。印字バッファに印字ドットデータが編集（ステップ５）されると、明細票に印字出力（印字および搬送）（ステップ６）を行う。印字出力が終了した場合は次の処理を待つ。なお、印字データの流れは２回目以降も同様に処理される。
【００３８】
図１０は、図８で説明した印字起動における印字データの処理例２を説明する図である。この図の例では、受信バッファを第１から第ｎまで確保している。通常の１取引印字では印字起動は２回が普通である。しかし、印字起動は１回から２５回の範囲で分割起動されうるのでｎは２５まで必要となる。
【００３９】
処理内容としては、自動取引装置本体制御部の本体制御部２から明細票発行機構に印字起動（ステップ１）が発せられる。明細票発行機構は回線制御部２８を介して第１受信バッファに印字起動の内容（印字データ）を受信し、格納（ステップ２−１）する。回線制御部２８で受信が終了すると主制御部２２により印字を起動する。この際、まず、印字起動の終了報告（ステップ３−１）をすると共に印字編集（ステップ４−１）を行う。印字編集（ステップ４−１）は第１受信バッファの内容を参照して処理する。本体制御部２は、終了報告（ステップ３−１）により２回目の印字起動を明細票発行機構に送信する。印字編集（ステップ４−１）から印字編集（ステップ４−ｎ）においては印字内容を解析し印字バッファに印字ドットデータを編集（ステップ５）する。印字バッファに印字ドットデータが編集（ステップ５）されると明細票に印字出力（印字搬送）（ステップ６）する。印字出力（印字および搬送）が終了した場合は次の処理を待つ。
【００４０】
本体制御部２は、終了報告（ステップ３−１）の受信により２回目の印字起動を明細票発行機構に送信（ステップ１）する。明細票発行機構は回線制御部２８を介して第２受信バッファに印字起動の内容（印字データ）を受信し、格納（ステップ２−２）する。回線制御部２８を介して受信が終了すると主制御部２２で印字を起動する。この場合は、１回目と同様にまず印字起動の終了報告（ステップ３−２）をすると共に印字編集（ステップ４−２）を行う。印字編集（ステップ４−２）は第２受信バッファの内容を参照して処理する。このように印字起動及び終了報告は最大ｎ回まで行われる。
【００４１】
図１１は、明細票排出動作の例（例１）を説明する図である。図１１の（１）に示すように、主制御部２２からの排出起動により搬送モータを起動し、ベルト搬送により明細票１０を排出口１７側に搬送する。次に、図９の（２）のように排出センサ１１が明細票１０の後端を検知した場合、排出起動の終了報告（終了報告４）において排出正常を報告する。排出正常報告の後も搬送を続け、図１１の（３）に示す位置で搬送を停止する。排出検知センサ１１が明細票の後端を検知してから、つまり排出が確定した後に正常の終了報告を行うため、動作終了後に異常が発生しない。このため、次処理の起動が不要とすることができる。
【００４２】
図１２は、明細票排出動作の例（例２）を説明する図である。この例では、明細票排出検知を明細票の先端で行う。すなわち、搬送路長と明細票長によっては先端検知が有効である。従来、明細票長は縦約８０ｍｍのもの、あるいは約１００ｍｍのものが使用されてきた。最近では可変長明細票の需要が出てきている。例えば、通常は１００ｍｍの明細票を使用している自動取引装置において、約１５０ｍｍの明細票の印字起動が発せられた場合、明細票の後端で排出検知をすると、排出口から明細票が出過ぎることにより、その先端が垂れ下がってしまう。この先端の垂れ下がりを防止するためには、先端検知つまり先端を基準にした排出処理が有効である。
【００４３】
図１２の（１）に示すように、印字起動待ち（客待ち）状態の自動取引装置において、本体制御部より約１５０ｍｍの印字起動が発せられる。この場合、前述のように処理され、図１２の（２）、（３）、（４）、（５）、（６）に示すように印字および搬送を行う。図１２（６）に示す位置まで印字および搬送した後、図１０の（７）に示すようにカッタ２１で明細票をカットする。
【００４４】
この際、図１０の（５）のように抜取りセンサ１２で明細票の先端を検知したとき、抜取りセンサ基準搬送量を０ｍｍとして、以降の搬送量を監視する。図１２の（８）に示すように既に排出起動の受信済み又は排出起動の受信有りの状態である場合は、排出搬送を開始すると共に排出起動の終了報告を行う。つまり排出搬送と終了報告の並行処理を行う。抜取りセンサ１２で明細票の先端を検知した後の搬送量、つまり抜取りセンサ基準搬送量が規定量に達したとき、つまり、図１０の（９）に示す位置まで明細票を搬送したならば排出搬送を終了とする。
【００４５】
以上、説明したように明細票発行機構において、印字起動時に、第１受信バッファに受信した印字データを第２受信バッファに格納することより、早期に終了報告を行い、次の起動を受信可能とすることができる。これにより、回線制御部を変更することなく最小限のメモリ使用で取引時間の短縮を可能とすることができる。
【００４６】
また、排出搬送時に排出を検知するセンサにより明細票の排出を検知した場合、搬送停止処理などを行う前に排出搬送の正常を確定して、搬送モータの停止処理を待たずに終了報告をする。すなわち排出の終了報告と搬送モータ停止処理とを並行処理をすることにより取引時間を短縮することができる。
【図面の簡単な説明】
【００４７】
【図１】本発明の実施形態に係る自動取引装置を説明する図である。
【図２】自動取引装置の制御ブロック図である。
【図３】自動取引装置における出金取引の処理フロ−図である。
【図４】自動取引装置における出金取引の処理フロ−図である。
【図５】自動取引装置における出金取引の処理フロ−図である。
【図６】明細票発行機構５を説明する図である。
【図７】図２に示す明細票発行機構５を説明する図である。
【図８】図３，４，５、６で説明した明細票発行時における自動取引装置本体制御部からの起動受信及び終了報告送信の処理を説明する図である。
【図９】図８で説明した印字起動における印字データの処理例１を説明する図である。
【図１０】図８で説明した印字起動における印字データの処理例２を説明する図である。
【図１１】明細票排出動作の例（例１）を説明する図である。
【図１２】明細票排出動作の例（例２）を説明する図である。
【図１３】印字機構および搬送機構を備えた明細票発行機構における明細票発行方法の概略を説明する図である。
【図１４】図１３に示す明細票発行機構における明細票発行時の自動取引装置本体制御部からの起動受信及び終了報告送信の処理を説明する図である。
【図１５】図１４の印字起動時における印字データの処理を説明する図である。
【符号の説明】
【００４８】
１  センタ（上位装置）
２  本体制御部
３  操作部
４  カード取扱機構
５  明細票発行機構
６  現金取扱機構
７  通帳取扱機構
８  回線制御部
９  外部入出力装置
１０  明細票
１１  排出センサ
１２  抜き取りセンサ
１３  ホッパ部
１４  明細票ロール紙
１５  分離部
１６  搬送ベルト
１７  明細票排出口
１８  第１搬送路センサ
１９  印字位置決めセンサ
２０  印字ヘッド
２１  明細票カッタ
２２  本体制御部
２３  センサ制御部
２４  搬送モータ制御部
２５  カッタ制御部
２６  印字ヘッド制御部
２７  印字編集制御部
２８  回線制御部
２９  印字バッファ
【図１】
2006154950.tif 000003
【図２】
2006154950.tif 000004
【図３】
2006154950.tif 000005
【図４】
2006154950.tif 000006
【図５】
2006154950.tif 000007
【図６】
2006154950.tif 000008
【図７】
2006154950.tif 000009
【図８】
2006154950.tif 000010
【図９】
2006154950.tif 000011
【図１０】
2006154950.tif 000012
【図１１】
2006154950.tif 000013
【図１２】
2006154950.tif 000014
【図１３】
2006154950.tif 000015
【図１４】
2006154950.tif 000016
【図１５】
2006154950.tif 000017